(57)【特許請求の範囲】
【請求項１】
ＭＩＭＯ方式で、基地局の複数のアンテナから送信された信号を複数のアンテナで受信し、該受信した信号から前記基地局と自端末との間の電波伝搬路の状態に対して最適と判断したプリコーディングベクトルを指定する情報を基地局側に送るクローズドループ型の携帯端末（１０）を試験するための携帯端末試験装置において、
前記携帯端末へ送るための少なくとも一つの系列の送信情報を生成する送信情報生成部（２１）と、
指定されたプリコーディングベクトルで前記送信情報に対するプリコード処理を行うプリコード部（２２）と、
前記プリコード部によってプリコード処理された信号で変調された変調波信号を出力する変調部（２３）と、
前記変調部の出力信号に対して、所定のフェージング情報に基づいて複数の電波伝搬路に対応した擬似的なフェージングを付与して試験対象の携帯端末に入力するフェージングシミュレータ（２５）と、
前記フェージングシミュレータから出力された信号を受けた携帯端末の送信信号を復調する復調部（２６）と、
前記復調部で復調された信号から前記携帯端末が最適と判断したプリコーディングベクトルを指定する情報を抽出するベクトル情報抽出部（２７）と、
前記プリコード処理に必要な複数のプリコーディングベクトルを予め記憶しているプリコーディングベクトル記憶部（２８）と、
前記フェージング情報に基づいて、前記プリコーディングベクトル記憶部に記憶されている全てのプリコーディングベクトルについての適合性を判定するための判定値を算出する判定値算出部（３１）と、
前記判定値算出部によってプリコーディングベクトル毎に算出された判定値を比較して前記最適なプリコーディングベクトルを選択するベクトル選択部（３２）と、
前記ベクトル情報抽出部によって抽出されたプリコーディングベクトルを指定する情報に対応したプリコーディングベクトルと前記ベクトル選択部で選択されたプリコーディングベクトルとを対比して、前記携帯端末のプリコーディングベクトル指定動作の良否を評価する評価部（３５）とを備えたことを特徴とする携帯端末試験装置。
【請求項２】
前記変調部は、サブキャリアを使用するＯＦＤＭ方式で前記携帯端末と通信を行うように構成され、
前記評価部に対して任意のサブキャリアを設定するサブキャリア設定手段（４０ａ）を有し、
前記携帯端末のプリコーディングベクトル指定動作の良否を所望のサブキャリア毎に判定できるようにしたことを特徴とする請求項１記載の携帯端末試験装置。
【請求項３】
前記フェージングシミュレータが前記フェージング情報を前記判定値算出部に出力することを特徴とする請求項１または請求項２記載の携帯端末試験装置。
【請求項４】
前記フェージング情報を前記フェージングシミュレータに対して設定するとともに、前記判定値算出部に出力するフェージング情報設定手段（４０ｃ）を有していることを特徴とする請求項１または請求項２記載の携帯端末試験装置。
【請求項５】
表示部（３６）を有し、
前記評価部が、
前記携帯端末から指定されたプリコーディングベクトルの情報と、前記ベクトル選択部で選択されたプリコーディングベクトルの情報を前記表示部の同一画面上に対比できるように表示させることを特徴とする請求項１〜４のいずれかに記載の携帯端末試験装置。
【請求項６】
前記判定値算出部で算出された判定値を前記表示部に時系列に表示させることを特徴とする請求項１〜５のいずれかに記載の携帯端末試験装置。
【請求項７】
ＭＩＭＯ方式で、基地局の複数のアンテナから送信された信号を複数のアンテナで受信し、該受信した信号から前記基地局と自端末との間の電波伝搬路の状態に対して最適と判断したプリコーディングベクトルを指定する情報を基地局側に送るクローズドループ型の携帯端末（１０）を試験するための携帯端末試験方法において、
前記携帯端末が前記電波伝搬路の状態を推定するための予め定められた参照信号を変調処理した信号に所定のフェージング情報に対応したフェージングを付与して携帯端末に入力し、該携帯端末から出力されたプリコーディングベクトルを指定する情報を含む信号から該携帯端末が指定するプリコーディングベクトルを抽出する段階（Ｓ１〜Ｓ５）と、
前記フェージング情報に対して、前記参照信号を得るためのプリコード処理に用いられる可能性のある予め記憶された複数のプリコーディングベクトルの適合性を判定するための判定値をそれぞれ求める段階（Ｓ６）と、
前記判定値を比較して前記予め記憶された複数のプリコーディングベクトルから最適のプリコーディングベクトルを選択する段階（Ｓ７）と、
該選択された最適のプリコーディングベクトルと、前記携帯端末が指定するプリコーディングベクトルとを対比して、前記携帯端末のプリコーディングベクトル指定動作の良否を評価する段階（Ｓ８）とを含むことを特徴とする携帯端末試験方法。
【発明の詳細な説明】
【技術分野】
【０００１】
本発明は、クローズドループのＭＩＭＯシステムに使用される携帯端末から、電波伝搬路の状態に対して最適なプリコーディングベクトルが正しく送られてくるか否かを判定できるようにするための技術に関する。
【背景技術】
【０００２】
携帯電話等に代表される携帯端末では、インターネットからの情報をダウンロードすることが多くなり、下りの情報伝達量がより多く要求されて来ているが、情報量を増やすために周波数帯域を広くすることは、通信可能な端末数を減少させることになり、システム全体としての情報伝達量を増加させることにならない。
【０００３】
この問題を解決する一つの方式として、ＭＩＭＯ（Multiple
Input Multiple Output）方式が提案されている。
【０００４】
ＭＩＭＯ方式は、図５に示すように、基地局１側で携帯端末１０に伝達したい情報を複数Ｎのアンテナ２１、２２、…、２Ｎから同一周波数で同時に出力し、これを携帯端末１０が複数Ｍのアンテナ１１１、１１２、…、１１Ｍで受信し、携帯端末１０の内部で情報の分離処理を行い、情報伝達量の向上を実現しようとするものである。
【０００５】
一般的に移動しながら用いられる携帯端末１０の場合、基地局１と自機との間の電波伝搬路の状態変化があっても情報分離処理を正しく行えるようにする必要があり、上記のような複数のアンテナを用いるＭＩＭＯシステムの場合には、Ｍ×Ｎの電波伝搬路の状態変化に対応させる必要がある。
【０００６】
このようなことから、ＭＩＭＯシステムの一例として、基地局１と携帯端末１０との間の電波伝搬路の状態を想定して送信信号の加工処理を行い、携帯端末１０側で情報分離処理が正しく行えるようにするシステムがある。さらに、ＭＩＭＯシステムの一例として、この加工処理に用いるデータをプリコーディングベクトルと呼び、このプリコーディングベクトルを複数個用意しておき、携帯端末１０側から指定されたプリコーディングベクトルで加工した信号を基地局１側が送信するクローズループ型のシステムがある。
【０００７】
これを満たす装置として、例えば、図６に示す構成の試験装置１００が考えられる。
この試験装置１００は、携帯端末１０へ送るための送信情報を送信情報生成部１０１で生成してプリコード部１０２に出力し、指定されたプリコーディングベクトルでプリコード処理を行い、変調部１０３に出力してプリコード処理された信号で変調された変調波信号を生成してフェージングシミュレータ１０５に入力する。
【０００８】
フェージングシミュレータ１０５は、変調部１０３の出力信号に対して、所定のフェージング情報に基づいて擬似的な複数の電波伝搬路に対応したフェージングを付与して試験対象の携帯端末１０に入力する。この信号を受けた携帯端末１０からは、携帯端末１０で推定した電波伝搬路の状態に基づき、プリコーディングベクトルを指定する情報を含む信号が出力され、その信号が復調部１０６で復調され、その復調信号を受けたベクトル情報抽出部１０７によりプリコーディングベクトルの指定情報が抽出され、その指定情報がコードブック選択部１０９に入力される。
【０００９】
コードブック選択部１０９は、指定情報に対応したプリコーディングベクトルを、プリコード処理に必要な複数のプリコーディングベクトルを予め記憶しているプリコーディングベクトル記憶部１０８から読み出してプリコード部１０２に指定する。
【００１０】
このような構成を有する試験装置であれば、複数の電波伝搬路をフェージングシミュレータ１０５で擬似的に形成することができ、そのフェージングの変化に対する携帯端末の動作を把握することができる。
【００１１】
なお、フェージング付与機能を有する基地局シミュレータは、例えば、次の特許文献１に開示されている。
【００１２】
【特許文献１】特開２００２−２３７７７７号公報
【発明の開示】
【発明が解決しようとする課題】
【００１３】
しかしながら、開発中の携帯端末のように、端末自体が正しいプリコーディングベクトルを指定しているか否か不明な場合には、上記のようにフェージングシミュレータ１０５を有する試験装置１００であっても、それを試験することができなかった。特に、実際の電波伝搬路でのフェージング環境下に近い状態、即ち、高速にあるいは急激にフェージングが変化する状況下で携帯端末のプリコーディングベクトルの指定動作が正しいか否かを把握することは極めて困難であった。
【００１４】
本発明は、この問題を解決して、クローズドループ型のＭＩＭＯシステムに使用される携帯端末から、電波伝搬路の状態に対して最適なプリコーディングベクトルを指定する情報が正しく送られてくるか否かを試験できるようにした携帯端末試験装置および方法を提供することを目的としている。
【課題を解決するための手段】
【００１５】
前記目的を達成するために、本発明の請求項１の携帯端末試験装置は、
ＭＩＭＯ方式で、基地局の複数のアンテナから送信された信号を複数のアンテナで受信し、該受信した信号から前記基地局と自端末との間の電波伝搬路の状態に対して最適と判断したプリコーディングベクトルを指定する情報を基地局側に送るクローズドループ型の携帯端末（１０）を試験するための携帯端末試験装置において、
前記携帯端末へ送るための少なくとも一つの系列の送信情報を生成する送信情報生成部（２１）と、
指定されたプリコーディングベクトルで前記送信情報に対するプリコード処理を行うプリコード部（２２）と、
前記プリコード部によってプリコード処理された信号で変調された変調波信号を出力する変調部（２３）と、
前記変調部の出力信号に対して、所定のフェージング情報に基づいて複数の電波伝搬路に対応した擬似的なフェージングを付与して試験対象の携帯端末に入力するフェージングシミュレータ（２５）と、
前記フェージングシミュレータから出力された信号を受けた携帯端末の送信信号を復調する復調部（２６）と、
前記復調部で復調された信号から前記携帯端末が最適と判断したプリコーディングベクトルを指定する情報を抽出するベクトル情報抽出部（２７）と、
前記プリコード処理に必要な複数のプリコーディングベクトルを予め記憶しているプリコーディングベクトル記憶部（２８）と、
前記フェージング情報に基づいて、前記プリコーディングベクトル記憶部に記憶されている全てのプリコーディングベクトルについての適合性を判定するための判定値を算出する判定値算出部（３１）と、
前記判定値算出部によってプリコーディングベクトル毎に算出された判定値を比較して前記最適なプリコーディングベクトルを選択するベクトル選択部（３２）と、
前記ベクトル情報抽出部によって抽出されたプリコーディングベクトルを指定する情報に対応したプリコーディングベクトルと前記ベクトル選択部で選択されたプリコーディングベクトルとを対比して、前記携帯端末のプリコーディングベクトル指定動作の良否を評価する評価部（３５）とを備えたことを特徴とする。
【００１６】
また、本発明の請求項２の携帯端末試験装置は、請求項１記載の携帯端末試験装置において、
前記変調部は、サブキャリアを使用するＯＦＤＭ方式で前記携帯端末と通信を行うように構成され、
前記評価部に対して任意のサブキャリアを設定するサブキャリア設定手段（４０ａ）を有し、
前記携帯端末のプリコーディングベクトル指定動作の良否を所望のサブキャリア毎に判定できるようにしたことを特徴とする。
【００１７】
また、本発明の請求項３の携帯端末試験装置は、請求項１または請求項２記載の携帯端末試験装置において、
前記フェージングシミュレータが前記フェージング情報を前記判定値算出部に出力することを特徴とする。
【００１８】
また、本発明の請求項４の携帯端末試験装置は、請求項１または請求項２記載の携帯端末試験装置において、
前記フェージング情報を前記フェージングシミュレータに対して設定するとともに、前記判定値算出部に出力するフェージング情報設定手段（４０ｃ）を有していることを特徴とする。
【００１９】
また、本発明の請求項５の携帯端末試験装置は、請求項１〜４のいずれかに記載の携帯端末試験装置において、
表示部（３６）を有し、
前記評価部が、
前記携帯端末から指定されたプリコーディングベクトルの情報と、前記ベクトル選択部で選択されたプリコーディングベクトルの情報を前記表示部の同一画面上に対比できるように表示させることを特徴とする。
【００２０】
また、本発明の請求項６の携帯端末試験装置は、請求項１〜５のいずれかに記載の携帯端末試験装置において、
前記判定値算出部で算出された判定値を前記表示部に時系列に表示させることを特徴とする。
【００２１】
また、本発明の請求項７の携帯端末試験方法は、
ＭＩＭＯ方式で、基地局の複数のアンテナから送信された信号を複数のアンテナで受信し、該受信した信号から前記基地局と自端末との間の電波伝搬路の状態に対して最適と判断したプリコーディングベクトルを指定する情報を基地局側に送るクローズドループ型の携帯端末（１０）を試験するための携帯端末試験方法において、
前記携帯端末が前記電波伝搬路の状態を推定するための予め定められた参照信号を変調処理した信号に所定のフェージング情報に対応したフェージングを付与して携帯端末に入力し、該携帯端末から出力されたプリコーディングベクトルを指定する情報を含む信号から該携帯端末が指定するプリコーディングベクトルを抽出する段階（Ｓ１〜Ｓ５）と、
前記フェージング情報に対して、前記参照信号を得るためのプリコード処理に用いられる可能性のある予め記憶された複数のプリコーディングベクトルの適合性を判定するための判定値をそれぞれ求める段階（Ｓ６）と、
前記判定値を比較して前記予め記憶された複数のプリコーディングベクトルから最適のプリコーディングベクトルを選択する段階（Ｓ７）と、
該選択された最適のプリコーディングベクトルと、前記携帯端末が指定するプリコーディングベクトルとを対比して、前記携帯端末のプリコーディングベクトル指定動作の良否を評価する段階（Ｓ８）とを含むことを特徴とする。
【発明の効果】
【００２２】
このように、本発明では、所定のフェージング情報に対応したフェージングを付与した信号を携帯端末に入力して、携帯端末からプリコーディングベクトルを指定する情報を含む信号を出力させるとともに、フェージング情報に対して予め記憶されている複数のプリコーディングベクトルの適合性を判定するための判定値をそれぞれ求め、それらの判定値を比較して複数のプリコーディングベクトルから最適のプリコーディングベクトルを選択し、その選択した最適のプリコーディングベクトルと、携帯端末から指定されたプリコーディングベクトルと対比することで、携帯端末のプリコーディングベクトル指定動作の良否を評価している。
【００２３】
つまり、携帯端末に入力している信号に付与されたフェージングの情報から装置側で最適と思われるプリコーディングベクトルを選択し、携帯端末側から指定されたプリコーディングベクトルと対比しているので、例えば開発中の携帯端末のフェージングに対するプリコーディングベクトルの指定動作が正しく行われているかを正しく判断することができる。
【発明を実施するための最良の形態】
【００２４】
以下、図面に基づいて本発明の実施の形態を説明する。
始めに本発明の携帯端末試験方法について簡単に説明する。
【００２５】
本発明の携帯端末試験方法は、ＭＩＭＯ方式で、基地局の複数のアンテナから送信された信号を複数のアンテナで受信し、その受信した信号から基地局と自端末との間の電波伝搬路の状態に対して最適と判断したプリコーディングベクトルを指定する情報を基地局側に送るクローズドループ型の携帯端末を試験するためのものであり、図１のフローチャートにしたがって試験を行う。
【００２６】
即ち、携帯端末が電波伝搬路の状態を推定するための予め定められた参照信号を変調処理した信号に所定のフェージング情報に対応したフェージングを付与して携帯端末に入力する（Ｓ１〜Ｓ３）。
【００２７】
フェージングが付与された参照信号を受けた携帯端末では、フェージング付与前の参照信号が既知の信号であることを利用して電波伝搬路の状態を推定し、基地局側に指定するプリコーディングベクトルを決定する。
【００２８】
これにより、携帯端末からプリコーディングベクトルを指定する情報を含む信号が一定時間毎に出力されることになる。
【００２９】
ここで、携帯端末からプリコーディングベクトルを指定する情報を受けた場合、プリコード処理に用いるプリコーディングベクトルを指定されたものに変更する（Ｓ４、Ｓ５）。ただし現在と同一のプリコーディングベクトルが指定される場合は変更しない。
【００３０】
現在のフェージング処理に用いているフェージング情報に対して予め記憶されている複数のプリコーディングベクトルの適合性を判定するための判定値をそれぞれ求め（Ｓ６）、それらの判定値を比較して複数のプリコーディングベクトルから最適のプリコーディングベクトルを選択する（Ｓ７）。
【００３１】
さらにこの選択された最適のプリコーディングベクトルと、携帯端末から指定されたプリコーディングベクトルとを対比することで、携帯端末のプリコーディングベクトル指定動作の良否を評価する（Ｓ８）。以下Ｓ４の処理に戻り、上記一連の処理を繰り返すことで、フェージングの変化に応じて携帯端末から指定されるプリコーディングベクトルが適正か否かを時系列に把握することができる。
【００３２】
つまり、本発明の携帯端末試験方法は、携帯端末に入力している信号に付与されたフェージングの情報から装置側で最適と思われるプリコーディングベクトルを選択し、携帯端末側から指定されたプリコーディングベクトルと対比しているので、例えば開発中の携帯端末のフェージングに対するプリコーディングベクトルの指定動作が正しく行われているかを正しく判断することができる。
【００３３】
図２は、上記方法を用いた実施形態の携帯端末試験装置２０の具体的な構成を示している。この携帯端末試験装置２０は、前記したＭＩＭＯ方式で、基地局の複数のアンテナから送信された信号を複数のアンテナで受信し、該受信した信号から前記基地局と自端末との間の電波伝搬路の状態に対して最適と判断したプリコーディングベクトルを指定する情報を基地局側に送るクローズドループ型の携帯端末１０を試験するためのものである。
【００３４】
図２に示しているように、携帯端末試験装置２０は、携帯端末１０へ送るための送信情報を送信情報生成部２１により生成して、プリコード部２２へ送出する。なお、この送信情報は最大でＭＩＭＯ方式の送信アンテの数に相当する情報系列として並列に出力されるものとし、後続の各処理部はその送信アンテナ数分有しているものとする。
【００３５】
プリコード部２２は、後述するコードブック選択部２９から指定されたプリコーディングベクトルで送信情報に対するプリコード処理を行い、そのプリコード処理した信号を変調部２３に送出する。変調部２３は、プリコード処理された信号を変調して変調波信号を生成する。
【００３６】
この変調された変調波信号は、フェージングシミュレータ２５に入力される。フェージングシミュレータ２５は、入力される変調波信号に対して、フェージング情報に基づいて複数の電波伝搬路に対応した擬似的なフェージングを付与して試験対象の携帯端末１０に入力する。
【００３７】
ここで、一般的にフェージングシミュレータは入力信号に対して任意の遅延、ランダムな振幅変動およびランダムな位相変動を与えて電波伝搬路を擬似的に形成するものであり、２つの送信アンテナと２つの受信アンテナを用いたＭＩＭＯ方式の場合、一方の送信アンテナから一方の受信アンテナ、一方の送信アンテナから他方の受信アンテナ、他方の送信アンテナから一方の受信アンテナ、他方の送信アンテナから他方の受信アンテナへの合計４つの電波伝搬路が想定される。
【００３８】
したがって、この場合フェージングシミュレータ２５には各送信アンテナの変調波信号に対してそれぞれ２つの異なる電波伝搬路が擬似的に設定され、その経路を経た信号が合成されて携帯端末１０に入力される。
【００３９】
携帯端末１０は、フェージングシミュレータ２５からの信号を受けて、ＭＩＭＯ方式で知られている所定の分離処理を行い、２系統の送信情報を取得する。
【００４０】
また、前記したように、ＭＩＭＯ方式の携帯端末１０は、受信した信号から基地局側（この場合は本試験装置２０）と自端末との間の電波伝搬路の状態に対して最適と判断したプリコーディングベクトルを指定する情報を送信側に定期的に送る。
【００４１】
復調部２６は、フェージングシミュレータ２５から出力された信号を受けた携帯端末１０の送信信号を復調し、その復調された信号をベクトル情報抽出部２７に出力する。
【００４２】
ベクトル情報抽出部２７は、復調部２６で復調された信号から携帯端末が最適と判断したプリコーディングベクトルの指定情報Ｘを抽出する。この指定情報Ｘはフェージングの変化に対応できるように定期的に送られてくる。
【００４３】
プリコーディングベクトル記憶部２８には、プリコード処理に必要な複数のプリコーディングベクトルが予め記憶されており、コードブック選択部２９は、ベクトル情報抽出部２７によって抽出された指定情報Ｘに対応したプリコーディングベクトルＶｘをプリコーディングベクトル記憶部２８から読み出してプリコード部２２に指定する。
【００４４】
また、最適プリコーディングベクトル選択部３０は、フェージングシミュレータ２５が擬似的に形成する複数の電波伝搬路に対応した電波伝搬路毎の遅延時間、電波伝搬路毎に時々刻々と変化する振幅および位相を含むフェージング情報から、その複数の電波伝搬路に対して最適なプリコーディングベクトルをプリコーディングベクトル記憶部２８に記憶されているプリコーディングベクトルから選択する。
【００４５】
なお、ここではフェージングシミュレータ２５が擬似的に形成する各電波伝搬路についてのフェージング情報を、フェージングシミュレータ２５から最適プリコーディングベクトル選択部３０に出力する場合について説明するが、これらの情報を後述する制御部４０からフェージングシミュレータ２５および最適プリコーディングベクトル選択部３０に与える構成であってもよい。
【００４６】
最適プリコーディングベクトル選択部３０は、前記したフェージング情報に基づいて、プリコーディングベクトル記憶部２８に記憶されている全てのプリコーディングベクトルについての適合性判定のための判定値を、所定関数を用いて算出する判定値算出部３１と、その算出した判定値を比較して最適なプリコーディングベクトルを選択するベクトル選択部３２とを有している。なお、その判定値算出に用いる関数は種々選択可能であり、携帯端末側の判定で用いられているものと同様なものを用いるのが望ましい。
【００４７】
ここで変調方式がＱＰＳＫで２×２のＭＩＭＯ方式で、ＭＬＤ（Maximum Likelihood
Detection）法を分離アルゴリズムとする場合の例を説明する。
【００４８】
ＱＰＳＫ変調方式では、ＩＱ信号で決まる４つのシンボル点があり、これらの点はＩＱ２次元空間上で原点からみて９０度異なる方向のベクトルとなる。
【００４９】
実際にはこのＩＱ信号が２系統あるので、それらが合成された信号は、ＩＱ４次元空間上で４×４の１６個の点のいずれかを示すことになる。
【００５０】
ここで、上記１６個の点の内いつくかが狭い範囲に集まっている場合データの識別が困難となり、データの誤りが大きくなる。つまり、１６個の点が４次元空間内で満遍なく分散している状態がデータの識別性の点から最適と考えられる。
【００５１】
したがって、判定値算出部３１は、予めｈ個のプリコーディングベクトルＶ（１）〜Ｖ（ｈ）がある場合、そのプリコーディングベクトルの一つ、例えばプリコーディングベクトルＶ（１）でプリコード処理した信号に対して、フェージング情報によるフェージングを与えた結果の仮想的な復調処理で得られる１６個の点の２点間の距離を全て求め、それらの最小値Ｌｍｉｎ（１）を判定値として選択（これが前記関数となる）して記憶するという処理を、全てのプリコーディングベクトルＶ（１）〜Ｖ（ｈ）について行う。
【００５２】
そして、ベクトル選択部３２は、プリコーディングベクトル毎にそれぞれ得られた最小値（判定値）Ｌｍｉｎ（１）〜Ｌｍｉｎ（ｈ）を比較して、最も大きい判定値を与えるプリコーディングベクトルを、４次元空間内での復調データをより満遍なく分散させる最適プリコーディングベクトルＶｒと決定する。
【００５３】
なお、判定値算出および最適プリコーディングベクトルの選択の処理間隔は、携帯端末１０がプリコーディングベクトルの指定情報を送ってくる周期に合わせて一定時間毎に行ってもよいし、より高速に連続的に行ってもよい。ここでは連続的に行うものとしている。
【００５４】
評価部３５は、ベクトル情報抽出部２７によって抽出された指定情報Ｘに対応したプリコーディングベクトルＶｘと最適プリコーディングベクトル選択部３０で選択されたプリコーディングベクトルＶｒとを対比して、携帯端末１０のプリコーディングベクトル選択動作の良否を評価し、その結果等を表示部３６に表示させる。なお、このプリコーディングベクトルの対比とは、ベクトルの要素を対比するのではなく、両者が等しいか否かを把握するものであり、単にｈ個のプリコーディングベクトルを識別するための１〜ｈの番号情報でよい。
【００５５】
評価部３５に評価結果の表示形態は任意であるが、ここでは、フェージングの変化に伴う携帯端末１０のプリコーディングベクトル選択動作を時系列に把握できるように、例えば図３のような表示形態を用いている。
【００５６】
図３はｈ＝４の場合のものであり、各プリコーディングベクトルについての判定値Ｌｍｉｎ（１）〜Ｌｍｉｎ（４）の時間変化を表示するとともに、その上部に携帯端末１０から指定されたプリコーディングベクトルＶｘの情報Ｘ（＝１〜４）を識別表示し、さらに、判定値Ｌｍｉｎ（１）〜Ｌｍｉｎ（４）のうちで最大となるもの、即ち装置２０側が最適と判断したプリコーディングベクトルを識別できるように表示している（この図では実線と点線で識別しているが、色、太さなどで識別してもよい）。
【００５７】
このような表示を行うことで、フェージング変化に対して携帯端末１０がプリコーディングベクトルを正しく指定しているか否かを容易に判定することができる。
【００５８】
制御部４０は、操作部４１等の操作に基づいてこの本装置２０の制御を行うものであり、サブキャリア設定手段４０ａは、ＯＦＤＭ方式の携帯端末を試験できるように、ＯＦＤＭ方式に対応した変調部２３を有するものにおいて、判定値算出手段３１、評価部３５、表示部３６に対して任意のサブキャリアを設定することで、携帯端末１０のプリコーディングベクトル選択動作の良否を所望サブキャリア毎に判定できるようにしている。
【００５９】
また、マージン設定手段４０ｂは、最適プリコーディングベクトル選択部３０で最適なプリコーディングベクトルを選択する際のマージン（許容範囲）値を任意に指定するためのものである。
【００６０】
このマージンを用いた選択処理は、例えば図４に示すように、現在最適と判定されているプリコーディングベクトルの判定値ＬａとそれよりΔＬだけ大きい値Ｌａ＋ΔＬとの間に、他のプリコーディングベクトルの判定値Ｌｂが入っている場合には、そのまま現在のプリコーディングベクトルを最適なものとし、他のプリコーディングベクトルの判定値ＬｂがＬａ＋ΔＬを越えたときにこのプリコーディングベクトルを最適と判定する処理であり、このΔＬの値を任意に設定できるようにしたものである。なお、マージンの与え方は任意であるが、このようなマージンを設けることで、図４のように判定値Ｌｂが交差領域で微小変動する場合であっても、比較結果の表示の激しい変化を防止することができ、表示が見やすくなる。
【００６１】
また、最適と判定されているプリコーディングベクトルの判定値に対して、ΔＬの範囲に入るプリコーディングベクトルも最適なものとするマージンとすることも可能である。このようなマージンを設けることにより、プリコーディングベクトルの判定が携帯端末との判定値算出に用いる関数の違い等により異なっていたとしても、実際の通信において性能に差が出ない範囲については最適なプリコーディングベクトルとし、携帯端末のプリコーディングベクトルの指定動作を良と評価することができる。
【００６２】
制御部４０のフェージング情報設定手段４０ｃは、前記したフェージングシミュレータ２３がフェージング情報の出力機能を有していない場合に設ける機能であり、図２で点線で示しているように、フェージング情報設定手段４０ｃからフェージング情報をフェージングシミュレータ２３に対して設定するとともに、最適プリコーディングベクトル選択部３０に出力することで、前記同様の処理を可能にしている。
【図面の簡単な説明】
【００６３】
【図１】本発明の試験方法を示すフローチャート
【図２】本発明の実施形態の構成図
【図３】本発明の実施形態の表示形態の一例を示す図
【図４】判定値の比較処理にマージンを設けた場合の動作を説明するための図
【図５】ＭＩＭＯシステムを説明するための図
【図６】ＭＩＭＯシステムの携帯端末を試験するための装置の構成図
【符号の説明】
【００６４】
１０……携帯端末、２０……携帯端末試験装置、２１……送信情報生成部、２２……プリコード部、２３……変調部、２５……フェージングシミュレータ、２６……復調部、２７……ベクトル情報抽出部、２８……プリコーディングベクトル記憶部、２９……コードブック選択部、３０……最適プリコーディングベクトル選択部、３１……判定値算出部、３２……ベクトル選択部、３５……評価部、３６……表示部、４０……制御部、４０ａ……サブキャリア設定手段、４０ｂ……マージン設定手段、４０ｃ……フェージング情報設定手段、４１……操作部
【図１】
0005086109.tif 000002
【図２】
0005086109.tif 000003
【図３】
0005086109.tif 000004
【図４】
0005086109.tif 000005
【図５】
0005086109.tif 000006
【図６】
0005086109.tif 000007